(57)【要約】【課題】全体を交換することなく、ＬＥＤユニットだけを簡単に作業性良く交換することができる車両用灯具を提供すること。【解決手段】ハウジング２とその開口部を覆うアウタレンズ３によって画成される灯室４内に光源であるＬＥＤ５を収容して構成されるテールランプ（車両用灯具）１において、前記ＬＥＤ５とこれを支持するブラケット８及び車両内側部に設けられたベゼル９を含んでＬＥＤユニット１０を構成し、該ＬＥＤユニット１０を前記ハウジング２に対して車両内側方から着脱可能に取り付ける。【選択図】図１
2012104254.tif 000002
【特許請求の範囲】
【請求項１】
ハウジングとその開口部を覆うアウタレンズによって画成される灯室内に光源であるＬＥＤを収容して構成される車両用灯具において、
前記ＬＥＤとこれを支持するブラケット及び車両内側部に設けられたベゼルを含んでＬＥＤユニットを構成し、該ＬＥＤユニットを前記ハウジングに対して車両内側方から着脱可能に取り付けたことを特徴とする車両用灯具。
【発明の詳細な説明】
【技術分野】
【０００１】
本発明は、ＬＥＤを光源とする車両用灯具に関するものである。
【背景技術】
【０００２】
近年、ヘッドランプやテールランプ等の車両用灯具の光源として、高輝度で消費電力が少なく、耐久性の高いＬＥＤが使用される傾向にある（例えば、特許文献１参照）。ここで、光源にＬＥＤを使用したテールランプの一例を図４に示す。
【０００３】
図４は従来のテールランプの平断面図であり、図示のテールランプ１０１は、車両後端の左右に設けられるものであって（図４は右側のもののみ図示）、ハウジング１０２とその開口部を覆うアウタレンズ１０３によって画成された灯室内１０４に光源である複数（断面上３個）のＬＥＤ１０５、各ＬＥＤ１０５から出射される光を車両後方（図４の下方）に向けて反射させるリフレクタ１０６等を収容して構成されている。ここで、各ＬＥＤ１０５はブラケット１０８によって支持されており、ハウジング１０２の内側部にはバックドア１２２とテールランプ１０１との間を仕切るベゼル１０９が取り付けられている。
【０００４】
斯かるテールランプ１０１において、例えばＬＥＤ１０５の１つでも断線すると当該テールランプ１０１全体を交換する必要があったため、ユーザーの経済的な負担が大きいという問題があった。
【０００５】
そこで、図５に示すテールランプ１０１’のように、複数のＬＥＤ１０５とこれらを支持するブラケット１０８を含んでＬＥＤユニット１１０を構成し、このＬＥＤユニット１１０をハウジング１０２の背面側に着脱可能に取り付け、ＬＥＤ１０５が断線したような場合には、ＬＥＤユニット１１０だけを取り外してこれを新しいものと交換する構成が考えられる。
【０００６】
或いは、図５に示す構成を採用したテールランプ１０１’において、図６に示すように車両のボディ１２０にＬＥＤユニット１１０が通過し得る程度の大きさの開口部１２０ａを形成し、ＬＥＤユニット１１０の交換が必要な場合には、ボディ１２０の開口部１２０ａを介してＬＥＤユニット１１０の交換を行う構成も考えられる。
【先行技術文献】
【特許文献】
【０００７】
【特許文献１】特開２０１０−０６７５７０号公報
【発明の概要】
【発明が解決しようとする課題】
【０００８】
しかしながら、図５に示す構成の場合、ＬＥＤユニット１１０の交換はテールランプ１０１’全体を車両のボディ１２０から一旦取り外し、取り外されたテールランプ１０１’の背面からＬＥＤユニット１１０を取り外して新しいＬＥＤユニット１１０に付け替えた後、テールランプ１０１’を車両のボディ１２０に再び取り付ける必要があるため、多くの時間と工数を要するという問題がある。
【０００９】
又、図６に示す構成の場合、車両のボディ１２０に大きな開口部１２０ａを形成することができないため、ＬＥＤユニット１１０の大きさが制約を受ける他、交換の作業性が悪いというに問題がある。
【００１０】
本発明は上記問題に鑑みてなされたもので、その目的とする処は、全体を交換することなく、ＬＥＤユニットだけを簡単に作業性良く交換することができる車両用灯具を提供することにある。
【課題を解決するための手段】
【００１１】
上記目的を達成するため、本発明は、ハウジングとその開口部を覆うアウタレンズによって画成される灯室内に光源であるＬＥＤを収容して構成される車両用灯具において、前記ＬＥＤとこれを支持するブラケット及び車両内側部に設けられたベゼルを含んでＬＥＤユニットを構成し、該ＬＥＤユニットを前記ハウジングに対して車両内側方から着脱可能に取り付けたことを特徴とする。
【発明の効果】
【００１２】
本発明によれば、ＬＥＤとブラケット及びベゼルを含んで一体化されたＬＥＤユニットを構成し、該ＬＥＤユニットをハウジングに対して車両内側方から着脱可能に取り付けたため、例えばＬＥＤに断線が生じたような場合には車両用灯具全体を交換することなく、ＬＥＤユニットだけを車両内側方へと簡単に作業性良く取り外し、これを新しいものと交換することができる。このため、車両用灯具全体を交換する場合に比べてユーザーの負担が軽減される。又、ＬＥＤユニットを交換するための大きな開口部を車両のボディに形成する必要がないため、ＬＥＤユニットの大きさが制約を受ける等の問題が発生することがない。
【図面の簡単な説明】
【００１３】
【図１】本発明の実施の形態１に係るテールランプの平断面図である。
【図２】本発明の実施の形態２に係るテールランプの平断面図である。
【図３】本発明の実施の形態３に係るテールランプの平断面図である。
【図４】従来のテールランプの平断面図である。
【図５】従来のテールランプの平断面図である。
【図６】従来のテールランプの平断面図である。
【発明を実施するための形態】
【００１４】
以下に本発明の実施の形態を添付図面に基づいて説明する。
【００１５】
＜実施の形態１＞
図１は本発明の実施の形態１に係るテールランプの平断面図であり、図示のテールランプ１は、車両後端の左右に設けられるものであって（図１は右側のもののみ図示）、各テールランプ１は車両のボディ２０にクリップ２１の差し込みによって取り付けられている。そして、各テールランプ１は、ハウジング２とその開口部を覆うアウタレンズ３によって画成された灯室４内に光源である複数（断面上２個）のＬＥＤ５、各ＬＥＤ５から出射される光を車両後方（図１の下方）に向けて反射させるリフレクタ６、各ＬＥＤ５の前面を覆うインナレンズ７等を収容して構成されている。
【００１６】
ところで、各ＬＥＤ５はブラケット８によって支持されており、ハウジング２の内側部には車両のバックドア２２とテールランプ１との間を仕切るベゼル９が取り付けられている。そして、ＬＥＤ５とこれを支持するブラケット８は、インナレンズ７とベセル９によって形成される空間内に収容されている。
【００１７】
而して、本実施の形態では、インナレンズ７とベゼル９が一体化され、一体化されたインナレンズ７とベゼル９及びＬＥＤ５とブラケット８はＬＥＤユニット１０としてユニット化され、このＬＥＤユニット１０は、ハウジング２に対して車両内側方から着脱可能に取り付けられている。ここで、ハウジング２の内側部には凹部２ａが形成されており、この凹部２ａに嵌め込まれたパッキン１１を介してＬＥＤユニット１０がハウジング２の内側部にネジ等の締結具の締め付けによって着脱可能に取り付けられている。
【００１８】
而して、以上のように構成されたテールランプ１において、例えばＬＥＤ５の１つに断線が生じたような場合には、バックドア２２を上方（図１の紙面垂直方向）に回動させてこれを開き、テールランプ１の内側方に形成された空間からネジ等の締結具を回してＬＥＤユニット１０をハウジング２から車両の内側方（図１の矢印）方向へと取り外し、これを新しいＬＥＤユニット１０と交換し、この新しいＬＥＤユニット１０をハウジング２に取り付ける。
【００１９】
以上のように、本実施の形態に係るテールランプ１においては、ＬＥＤ５とブラケット８及び一体化されたインナレンズ７とベゼル９を含んでＬＥＤユニット１０を構成し、該ＬＥＤユニット１０をハウジング２に対して車両内側方から着脱可能に取り付けたため、例えばＬＥＤ５に断線が生じたような場合にはテールランプ１全体を交換することなく、ハウジング２やアウタレンズ３、リフレクタ６等を車体側に残してＬＥＤユニット１０だけを車両内側方へと簡単に作業性良く取り外し、これを新しいものと交換することができる。このため、テールランプ１の全体を交換する場合に比べてユーザーの負担が軽減される。又、ＬＥＤユニット１０を交換するための大きな開口部を車両のボディ２０に形成する必要がないため、ＬＥＤユニット１０の大きさが制約を受ける等の問題が発生することがない。
【００２０】
＜実施の形態２＞
次に、本発明の実施の形態２を図２に基づいて以下に説明する。
【００２１】
図２は本発明の実施の形態２に係るテールランプの平断面図であり、本図においては図１に示したものと同一要素には同一符号を付しており、以下、それらについての再度の説明は省略する。
【００２２】
本実施の形態に係るテールランプ１’は、各ＬＥＤ５に対して複数の三角プリズム状のインナレンズ７を灯室４内に一直線状に配列したものであって、他の構成は図１に示した前記実施の形態１に係るテールランプ１のそれと同じである。つまり、本実施の形態に係るテールランプ１’においても、ＬＥＤ５とブラケット８及びベゼル９を含んで一体化されたＬＥＤユニット１０を構成し、該ＬＥＤユニット１０をハウジング２に対して車両内側方から着脱可能に取り付けている。
【００２３】
従って、例えばＬＥＤ５に断線が生じたような場合にはテールランプ１全体を交換することなく、ＬＥＤユニット１０だけを車両内側方へと簡単に作業性良く取り外し、これを新しいものと交換することができ、ユーザーの負担が軽減されるという効果が得られる。
【００２４】
＜実施の形態３＞
次に、本発明の実施の形態３を図３に基づいて以下に説明する。
【００２５】
図３は本発明の実施の形態３に係るテールランプの平断面図であり、本図においては図１に示したものと同一要素には同一符号を付しており、以下、それらについての再度の説明は省略する。
【００２６】
本実施の形態に係るテールランプ１”は、複数のＬＥＤ５をその光出射方向が車両後方（図３の下方）となるよう車幅方向に並設するとともに、これらのＬＥＤ５を車両後方から覆うインナレンズ７とハウジング２の内側部に設けられたベゼル９を一体化し、ＬＥＤ５とブラケット８及び一体化されたインナレンズ７とベゼル９を含んでＬＥＤユニット１０を構成し、該ＬＥＤユニット１０をハウジング２に対して車両内側方から着脱可能に取り付ける構成を採用している。
【００２７】
従って、本実施の形態に係るテールランプ１”においても、例えばＬＥＤ５に断線が生じたような場合には当該テールランプ１”全体を交換することなく、ＬＥＤユニット１０だけを車両内側方へと簡単に作業性良く取り外し、これを新しいものと交換することができるという前記実施の形態１，２と同様の効果が得られる。
【００２８】
尚、以上は本発明をテールランプに対して適用した形態について説明したが、本発明は、ヘッドランプ等の他の車両用灯具に対しても同様に適用可能であることは勿論である。
【符号の説明】
【００２９】
１      テールランプ（車両用灯具）
２      ハウジング
２ａ    ハウジングの凹部
３      アウタレンズ
４      灯室
５      ＬＥＤ
６      リフレクタ
７      インナレンズ
８      ブラケット
９      ベゼル
１０    ＬＥＤユニット
１１    パッキン
２０    車両のボディ
２１    クリップ
２２    バックドア
【図１】
2012104254.tif 000003
【図２】
2012104254.tif 000004
【図３】
2012104254.tif 000005
【図４】
2012104254.tif 000006
【図５】
2012104254.tif 000007
【図６】
2012104254.tif 000008